(57)【要約】      （修正有）【課題】誰でも簡単に、内部に液体が収納された袋状容器の交換でき、所定の位置に確実に収納でき、衛生的に使用できる液体供給装置を提供すること。【解決手段】上部に手動ポンプ２１を有し、内部に液体を収納した柔軟性を有する袋状容器２と、この袋状容器を交換可能に収納するホルダ３とを備え、ホルダは、前面部分が開口するホルダ本体と、ホルダ本体の開口部を開閉可能な蓋体とを備え、蓋体とホルダ本体との少なくともいずれか一方に、前記手動ポンプの一部もしくは手動ポンプ近傍の袋状容器部分を保持する保持部が形成されているとともに、当該保持部側が大きく開口するように、蓋体がホルダ本体に揺動可能に枢支されていることを特徴とする。【選択図】図１
0003111617.tif 000002
【実用新案登録請求の範囲】
【請求項１】
上部に手動ポンプを有し、内部に液体を収納した柔軟性を有する袋状容器と、この袋状容器を交換可能に収納するホルダとを備え、ホルダは、前面部分が開口するホルダ本体と、ホルダ本体の開口部を開閉可能な蓋体とを備え、蓋体とホルダ本体との少なくともいずれか一方に、前記手動ポンプの一部もしくは手動ポンプ近傍の袋状容器部分を保持する保持部が形成されているとともに、当該保持部側が大きく開口するように、蓋体がホルダ本体に揺動可能に枢支されていることを特徴とする液体供給装置。
【請求項２】
ホルダの少なくとも一部が透明もしくは半透明で、ホルダに収納された袋状容器を視認可能に構成されていることを特徴とする請求項１記載の液体供給装置。
【請求項３】
液体供給装置を手すりに取り付けるための設置部がホルダ本体に設けられていることを特徴とする請求項１または２記載の液体供給装置。
【考案の詳細な説明】
【技術分野】
【０００１】
本考案は、洗浄液や消毒液などの液体を手動ポンプで汲み上げて吐出させる液体供給装置に関するものである。
【背景技術】
【０００２】
従来、この種の液体供給装置としては、合成樹脂で一体形成された容器本体と、容器本体の上部の開口部に取り付けられるポンプ部とからなる収容容器が一般的であるが、このような収容容器は、収容されている液体が消費されて空になるとそのまま廃棄されるため、資源の有効利用の観点から好ましくない。そこで、近年、環境問題を考慮して、袋状容器の内部に液体が収容された詰め替え用製品が上市されている。しかしながら、このような詰め替え用製品は、詰め替え容器の一部を開口させて、元の収容容器内に詰め替える手間がかかる上、詰め替える時に、誤って液体を容器の外部にこぼしたり、手を汚してしまうことがある。
【０００３】
そこで、内部に液体が収容された袋状容器を直接収納するための有底楕円筒状の容器本体と、この容器本体に着脱可能に嵌合する蓋体と、この蓋体の中央部に形成された口部に螺着されるポンプ部とを備えた液体供給装置がある（例えば特許文献１参照）。
【特許文献１】実用新案登録第３０８４９８１号公報
【考案の開示】
【考案が解決しようとする課題】
【０００４】
しかしながら、上記の液体供給装置は、詰め替え用の袋状容器そのものを容器本体内に収納する構成であるので、詰め替え用の液体を逐一本容器に移し替える手間を省くことができるものの、容器本体内に収納された袋状容器が空になると、新しい袋状容器と取り替えるために、以下のような非常に手間のかかる作業を要する。すなわち、まず、ポンプを蓋体の口部から取り外し、次に蓋体を容器本体から取り外し、空の袋状容器を取り出して、新しい袋状容器を容器本体の上方から容器本体内部に収納し、袋状容器の上部を開封した後、逆の手順で、蓋体を容器本体に取り付け、蓋体にポンプを取り付けなければならない。また、袋状容器の上部が開封されたまま、容器本体内に収納されるので、容器内部の液体が外気に曝されて衛生上好ましくないし、誤って液体供給装置が転倒した場合には、液体が容器本体内部に漏出する可能性もある。
本考案は、以上の問題点に鑑み考案されたものであって、誰でも簡単に、内部に液体が収納された袋状容器の交換でき、所定の位置に確実に収納でき、衛生的に使用できる液体供給装置を提供することを目的としている。
【課題を解決するための手段】
【０００５】
上記課題を解決するために、本考案の液体供給装置は、上部に手動ポンプを有し、内部に液体が収納された柔軟性を有する袋状容器と、この袋状容器を交換可能に収納するホルダとを備え、ホルダは、前面部分が開口するホルダ本体と、ホルダ本体の開口部を開閉可能な蓋体とを備え、蓋体とホルダ本体との少なくともいずれか一方に、前記手動ポンプの一部もしくは手動ポンプ近傍の袋状容器部分を保持する保持部が形成されているとともに、当該保持部側が大きく開口するように、蓋体がホルダ本体に揺動可能に枢支されていることを特徴としている。
【０００６】
また、本考案の液体供給装置は、ホルダの少なくとも一部が透明もしくは半透明で、ホルダに収納された袋状容器を視認可能に構成されていてもよい。
【０００７】
また、本考案の液体供給装置は、液体供給装置を手すりに取り付けるための設置部がホルダ本体に設けられていてもよい。ここで、手すりとは、棒状部材が壁面から所定間隔離れて配置された状態で棒状部材の一部が壁面に支持されているものであればよく、洗面所、浴室、トイレなどの壁面に設置されている握りバーやタオル掛けなども含まれるものとする。
【考案の効果】
【０００８】
本考案にかかる液体供給装置によれば、上部に手動ポンプを有し、内部に液体を収納した柔軟性を有する袋状容器と、この袋状容器を交換可能に収納するホルダとを備え、ホルダは、前面部分が開口するホルダ本体と、ホルダ本体の開口部を開閉可能な蓋体とを備え、蓋体とホルダ本体との少なくともいずれか一方に、前記手動ポンプの一部もしくは手動ポンプ近傍の袋状容器部分を保持する保持部が形成されているとともに、当該保持部側が大きく開口するように、蓋体がホルダ本体に揺動可能に枢支されているので、ホルダ本体に対して蓋体を大きく開口させて、その開口部から袋状容器をホルダ内に挿入して収納し、蓋体とホルダ本体との少なくともいずれか一方に形成されている保持部に、手動ポンプの一部もしくは手動ポンプ近傍の袋状容器部分を保持させ、蓋体を閉止するだけで、袋状容器を簡単かつ確実にホルダ内の所定の位置に収納できる。したがって、袋状容器の取り付け作業および交換作業を非常に簡素化できる。また、袋状容器が手動ポンプを有しているので、袋状容器内部の液体が外気に曝されることがなく、交換作業時や使用時に誤って袋状容器や液体供給装置が落下や転倒等することがあっても、外部に漏出してしまうこともなく、安全かつ衛生的である。
【０００９】
また、ホルダの少なくとも一部が透明もしくは半透明で、ホルダに収納された袋状容器を視認可能に構成されているものでは、ホルダ内に収納されている袋状容器の外観をホルダ外部から視認できる。したがって、袋状容器の膨らみ具合によって容器の取替え時期か否かを即座に判断でき、取替え作業の作業効率が向上する上、袋状容器の表面に容器内部の液体の種類や性質等を表す文字や色柄が施されている場合には、ホルダ外部からどのような液体が収納されている容器であるのかを一目で容易に確認できるため、誤用や取替えミスを防止でき安全性が向上する。
【００１０】
また、液体供給装置を手すりに取り付けるための設置部がホルダ本体に設けられているものでは、設置部を介して液体供給装置を手すりに設置することができる。したがって、液体供給装置を設置するための設置台がない場所や、壁面に直接取り付けることができない場所であっても、手すりを利用して取り付けることができるので、設置場所が限定されず、汎用性に優れる。
【考案を実施するための最良の形態】
【００１１】
以下、本考案の一実施形態にかかる液体供給装置を図面に基づいて説明する。
【００１２】
本実施形態の液体供給装置１は、図１に示すように、上部に手動ポンプ２１を有する袋状容器２と、この袋状容器２を交換可能に収納する箱状のホルダ３と、袋状容器２が収納されたホルダ３を手すりに設置するための設置部としての取り付け部材４とから構成されている。
【００１３】
袋状容器２は、図３に示すように、袋状に形成され、その上端部分に開口部２２０が形成された袋本体２２と、袋本体２２の開口部２２０に液密に取り付けられる口体２３と、口体２３に着脱可能に取り付けられる手動ポンプ２１とを有している。袋本体２２には、手指の消毒用または殺菌用の薬液が収納されており、袋本体２２は、薬液を収納可能な強度と、適度な柔軟性とを有するシート状素材で形成されている。手動ポンプ２１は、袋本体２２内部の薬液を抽出するポンプ本体２１０と、袋状容器２の口体２３に螺着する雌ねじ部を備えたキャップ２１１と、ポンプ本体２１０が抽出した液体を外部に吐出する吐出ノズル２１２とから構成されている。口体２３は、平面視において幅方向に長い略菱形状に形成された溶着部２３０と、溶着部２３０の中央部から立ち上がる円筒状の口部２３１とから構成されている。口部２３１の先端部側には、手動ポンプ２１のキャップ２１１に螺着する雄ねじ（図示せず）が形成されており、雄ネジの下方には、円周方向に連続する鍔部２３１ａが形成され、鍔部２３１ａの下方には、幅方向に一対のガイド部２３１ｂ，２３１ｂが形成されている。また、溶着部２３０は、袋本体２２の開口部２２１から袋本体２２の内部に挿入され、開口部２２１周辺部分に液密に熱溶着されている。
【００１４】
ホルダ３は、合成樹脂製で、図２に示すように、前面部分に前面開口部Ｐを備えたホルダ本体３１と、ホルダ本体３１に揺動可能に枢支され、ホルダ本体３１の前面開口部Ｐを開閉可能な蓋体３２とから構成されている。ホルダ本体３１は、底面部３１０と、底面部３１０の幅方向両側から立ち上がる両側面部３１１，３１１と、底面部３１０の後ろ側から立ち上がる背面部３１２と、両側面部３１１，３１１と背面部３１２に連接し、底面部３１０に対向配置される天板部３１３とから構成されている。
【００１５】
天板部３１３の幅方向ほぼ中央部には、前端部分から前後方向ほぼ中央部にかけて開口する口体保持部３１４が形成されている。口体保持部３１４の開口幅は、ガイド部２３１ｂ，２３１ｂ間の長さよりも長く、鍔部２３１ａの外径寸法よりも小さく形成されている。また、背面部３１２の内面には、背面部３１２の下端部から所定の高さ位置に、蓋体３２の揺動を制止する突起部３１５が形成されている。また、両側面部３１１，３１１の下端部から約１／３の高さ位置には、後述する蓋体３２の枢支軸３２０，３２０を枢支するための軸挿通孔３１６，３１６が穿設されており、軸挿通孔３１６，３１６よりも上側には、後方に向かって切り欠き部３１７，３１７が形成されている。両側面部３１１，３１１の上端部側における切り欠き部３１７，３１７の近傍には、蓋体３２を閉位置で係止させるための縦長の係合突起３１８，３１８が形成されている。
【００１６】
蓋体３２は、合成樹脂製の透明の板材で形成されており、幅方向両側端部には、同じ方向にホルダ本体３１の切り欠き部３１７，３１７を覆う側面カバー部３２１，３２１が延設されている。側面カバー部３２１の内面には、ホルダ本体３１の両側面部３１１，３１１に形成されている係合突起３１８，３１８に係合する係合凹部３２２，３２２が形成されている。
【００１７】
蓋体３２の上端部には、ホルダ本体３１の天板部３１３を覆う天板カバー部３２３が延設されている。天板カバー部３２３には、ホルダ本体３１の天板部３１３と同様に、口体保持部３２４が形成されている。口体保持部３２４は、天板カバー部３２３の幅方向ほぼ中央部に、後端部側から前後方向ほぼ中央部にかけて開口する形状に形成されており、その開口幅は、天板部３１３に形成されている口体保持部３１４と同様に、袋状容器の口部２３１のガイド部２３１ｂ，２３１ｂ間の長さよりも長く、鍔部２３１ａの外径寸法よりも小さく形成されている。
【００１８】
また、蓋体３２の下端部から幅方向両側端部にかけて、ホルダ本体３１の内方に延出する内接部３２５が延設されている。内接部３２５の上端部には、ホルダ本体３１に設けられている軸挿通孔３１６，３１６に挿通可能な枢支軸３２０，３２０が突設されている。そして、蓋体３２は、枢支軸３２０，３２０が、ホルダ本体３１の軸挿通孔３１６，３１６に挿通されて、ホルダ本体３１に揺動可能に枢支されている。
【００１９】
取り付け部材４は、ホルダ本体３１と同様に合成樹脂製で、ホルダ３の下部を収納可能な収納部４１と、収納部４１の下方に延設される支持脚４２と、収納部４１の下面に出し入れ可能に取り付けられる受け板４３とから構成されている。収納部４１は、ホルダ本体３１の底面部３１０よりも一回り大きい底部４１０と、底部４１０から立ち上がる周壁部４１１とを備えており、周壁部４１１の前面部分の高さは、他の部分よりも低く形成されている。具体的には、ホルダ本体３１の底面部３１０から軸挿通孔３１６，３１６までの長さよりも短く、収納部４１にホルダ本体３１を収納した時に、周壁部４１１の上端部が、ホルダ本体３１と蓋体３２との枢支部分よりも下方に配置される高さとなっている。
【００２０】
支持脚４２は、収納部４１の周壁部４１１の背面部分から延設される壁面当接部４２０と、両側面部分から延設されるスペーサ部４２１とから構成されており、スペーサ部４２１の幅は、取り付ける手すりＫと壁面Ｗとの隙間に嵌合可能な寸法となっている。また、受け板４３は、直径が収納部４１の幅方向長さとほぼ同じ寸法の半円形状で、直径側の端部の中央部が枢支ピン４３０を介して収納部４１の底部４１０に回動可能に枢支されている。
【００２１】
ここで、液体供給装置１の取り付け手順について説明する。まず、取り付け部材４を手すりＫに設置する。具体的には、支持脚４２の壁面当接部４２０を壁面Ｗ側にして、支持脚４２を手すりＫの上方から、手すりＫと壁面Ｗとの隙間に挿嵌して、壁面当接部４２０を壁面Ｗに当接させるとともに、スペーサ部４２１を手すりＫと壁面Ｗとの隙間に嵌合させて、収納部４１を手すりＫ上に設置する。
【００２２】
次に、ホルダ３を収納部４１内に収納する。具体的には、蓋体３２の側面カバー部３２１，３２１をホルダ本体３１の係合突起３１８，３１８に係止させて、ホルダ本体３１の前面開口部Ｐを蓋体３２で閉止した状態で、蓋体３２側を前方にして、取り付け部材４の上方からホルダ３を収納部４１内に挿入し、図１に示すように、ホルダ３を収納部４１内に立設させる。
【００２３】
最後に、図３に示す袋状容器２をホルダ３内に収納する。具体的には、図４に示すように、ホルダ３の蓋体３２の上部を手前にひいて、ホルダ本体３１の前面開口部Ｐを全開させる。すなわち、蓋体３２の側面カバー部３２１，３２１に手を添えて、ホルダ本体３１の係合突起３１８，３１８と側面カバー部３２１，３２１の係合凹部３２２，３２２との係合状態を解除する。そして、蓋体３２の上端部側を手前にひく。すると、蓋体３２は、ホルダ本体３１の軸挿通孔３１６に挿通されている枢支軸３２０を揺動中心として揺動し、枢支軸３２０よりも上側の部分が手前に傾斜し、枢支軸３２０よりも下側の部分が、ホルダ本体３１の内部に入り込む。そして、蓋体３２を略水平近くなるまでさらに傾斜させると、図２に示すように、蓋体３２の内接部３２５の遊端部３２６が、ホルダ本体３１の背面部３１２の内面に形成されている突起部３１５に当接して受け止められると、蓋体３２の揺動が制止され、ホルダ本体３１の前面開口部Ｐが全開した状態となる。
【００２４】
ホルダ本体３１の前面開口部Ｐを全開させたら、袋状容器２を蓋体３２に取り付ける。具体的には、図４に示すように、手動ポンプ２１の吐出ノズル２１２を下向きにした状態で、手動ポンプ２１を蓋体３２の外部に配置するとともに、袋本体２２を蓋体３２の内面上に載置して、袋状容器２の口体２３を天板カバー部３２３の口体保持部３２４内に挿入する。このとき、鍔部２３１ａを、蓋体３２の天板カバー部３２３の上面側に配置させるとともに、ガイド部２３１ｂ，２３１ｂを口体保持部３２４の端面に沿わせながら口体２３を口体保持部３２４の奥まで挿入する。そして、蓋体３２を閉止方向に押し上げていくと、蓋体３２の口体保持部３２４がホルダ本体３１の口体保持部３１４に近接していく。
【００２５】
蓋体３２が閉止されると、蓋体３２の天板カバー部３２３がホルダ本体３１の天板部３１３の上に重なり、図１に示すように、袋状容器２の口体２３は、ホルダ本体３１の口体保持部３１４と蓋体３２の口体保持部３２４とが重なり合って形成された連通孔Ｑ内に配置される。そして、袋状容器２は、鍔部２３１ａが天板カバー部３２３の口体保持部３２４に保持されてホルダ３に吊持され、手動ポンプ２１がホルダ３の上部に配置されるとともに、袋本体２２がホルダ３の内部に収納される。
【００２６】
以上の液体供給装置１を使用するときには、まず、取り付け部材４の収納部４１に枢支されている受け板４３を引き出して、収納部４１の前方に配置する。次に、手動ポンプ２１の吐出ノズル２１２の下方に手のひらを差し出すとともに、ポンプ本体２１０のプッシュ部２１３を押し下げる。すると、袋本体２２の内部の液体が、ポンプ本体２１０によって汲み上げられ、吐出ノズル２１２の先端部から吐出されるので、吐出された液体を手のひらで受け止めて使用する。
【００２７】
袋状容器２を交換するときは、蓋体３２を手前にひいて、ホルダ本体３１の前面開口部Ｐを全開にして、使用済みの袋状容器２を取り出した後、新たな袋状容器２をホルダ３内に収納すればよい。なお、収納手順としては、（００２４）〜（００２５）で説明した取り付け手順と同様であるので説明は省略する。また、使用済みの袋状容器２は、袋本体２２を巻き込んで嵩を小さくしてから廃棄することが好ましい。
【００２８】
以上、詳細に説明した通り、本実施の形態の液体供給装置１によれば、蓋体３２とホルダ本体３１との双方に、袋状容器２の口体２３を保持する口体保持部３１４，３２４が形成されているとともに、口体保持部３１４，３２４側が大きく開口するように、ホルダ本体３１の両側面部３１１，３１１の下端部から約１／３の高さ位置に穿設されている軸挿通孔３１６，３１６に蓋体３２の枢支軸３２０，３２０が挿通され、ホルダ本体３１に対して蓋体３２が揺動可能に枢支されている。したがって、ホルダ本体３１に対して蓋体３２を大きく開口させて、その開口部から袋状容器２をホルダ３内に収納するとともに、蓋体３２の口体保持部３２４の上面側に鍔部２３１ａを嵌合して保持させ、蓋体３２を閉止するだけで、口体２３を連通孔Ｑに嵌合するように正確に案内し、口体保持部３２４に保持させることができる。したがって、袋状容器２を簡単かつ確実にホルダ３内の所定の位置に収納でき、袋状容器２の取り付け作業および交換作業を非常に簡素化できる。
【００２９】
また、ホルダ本体３１の背面部３１２の内面には、背面部３１２の下端部から所定の高さ位置に、蓋体３２の揺動を制止する突起部３１５が形成されており、蓋体３２の下端部から幅方向両側端部にかけて、ホルダ本体３１の内方に延出する内接部３２５がこの突起部３１５に当接して、蓋体３２が略水平状態で静止する。これにより、ホルダ本体３１の前面開口部Ｐを大きく開口させた状態を維持することができる。したがって、袋状容器２の出し入れがしやすい。また、袋本体２２を蓋体３２の内面に載置した状態で、口体２３を蓋体３２の口体保持部３２４に着脱することができるので、作業負担をより一層軽減できる。
【００３０】
さらに、口体２３にはガイド部２３１ｂ，２３１ｂが形成されているので、口体２３を口体保持部３１４，３２４に挿入しやすい上、袋状容器２の口体２３が、双方の口体保持部３１４，３２４によって形成された連通孔Ｑ内に配置された後、口体２３の回転移動を規制できる。また、口体２３が連通孔Ｑ内に配置されるので、ホルダ３の内部にゴミが入りにくく衛生的である上、口体２３の前後移動を規制できる。
【００３１】
さらに、袋状容器２は、袋本体２２に熱溶着された口体２３に手動ポンプ２１が取り付けられているので、袋本体２２の内部の液体が外気に曝されることがない。したがって、交換作業時や使用時に、袋本体２２の内部の液体が、誤って外部に漏出してしまうことがないので、安全かつ衛生的である。
【００３２】
また、蓋体３２が、合成樹脂製の透明の板材で形成されているので、ホルダ３内に収納されている袋状容器２の外観をホルダ３の外部から視認できる。したがって、袋状容器２の膨らみ具合によって容器の取替え時期か否かを即座に判断でき、取替え作業の作業効率が向上する。さらに、袋状容器２の表面に容器内部の液体の種類や性質等を表す文字や色柄が施されている場合には、ホルダ３の外部からどのような液体が収納されている容器であるのかを一目で容易に確認できるため、誤用や取替えミスを防止でき安全性が向上する。
【００３３】
また、袋状容器２を収納したホルダ３を手すりＫに取り付けるための取り付け部材４を有しているので、取り付け部材を介して袋状容器２を収納したホルダ３を手すりが設置されている任意の場所に取り付けることができる。したがって、袋状容器２を収納したホルダ３を設置するための設置台がない場所や、壁面に直接取り付けることができない場所であっても、手すりを利用して設置することができるので、設置場所が限定されず、汎用性に優れる。
【００３４】
また、取り付け部材４は、ホルダ本体３１を収納する収納部４１と、収納部４１の下方に延設される支持脚４２とを備え、支持脚４２が、収納部４１の背面部分から延設される壁面当接部４２０と、両側面部分から延設されるスペーサ部４２１とから構成されており、スペーサ部４２１の幅が、取り付ける手すりＫと壁面Ｗとの隙間に嵌合可能な寸法となっているので、工具等を使用することなく、取り付け部材４を手すりＫ上に取り付けることができる。なお、手すりの設置場所によっては、手すりと壁面との隙間が異なる場合があるので、スペーサ部４２１の寸法の異なる取り付け部材を複数用意して、隙間の寸法に応じた取り付け部材４に交換するようにすれば、任意の手すりに設置できるので好ましい。
【００３５】
また、本例のように、受け板４３を取り付け部材４の収納部４１の底面４１０に回動可能に枢支したものでは、使用時に、受け板４３を収納部４１の前方に配置することができるので、吐出ノズル２１２から液だれした場合でも、受け板４３で受け止めることができ、床を汚すことがない。また、不使用時には、収納部４１の底面４１０側に受け板４３を収納可能であるので、空間を効率よく利用できる。
【００３６】
なお、本実施の形態の液体供給装置１は、口体保持部を蓋体３２の天板カバー部３２３とホルダ本体３１の天板部３１３の両方に設けたが、ホルダ本体３１の天板部３１３だけに設けても構わない。この場合は、当然ながら、蓋体３２を閉止した時に、天板カバー部３２３が天板部３１３の口体保持部３１４を覆わないように、天板カバー部３２３の形状を、天板部３１３の口体保持部３１４を回避する形状に形成する必要がある。
【００３７】
また、本実施の形態では、ホルダ本体３１、蓋体３２、取り付け部材４を合成樹脂製としたが、材質はこれに限定されず、例えば金属製でもよい。また、蓋体３２は、不透明であっても構わない。
【００３８】
また、受け板４３の形状は、半円形状に限られず、例えば、楕円形状でも矩形状であってもよい。さらに、受け板４３を取り付け部材４に取り付ける構造は、上記実施の形態に限定されるものではなく、例えば、取り付け部材４の収納部４１の底面４１０に、前後方向にスライド可能に設けてもよい。
【００３９】
また、袋本体２２の内部に収納する液体は、上記実施の形態に限られず、例えば、シャンプーやリンス、手洗い用の液状石鹸などであってもよい。
【００４０】
また、本実施の形態の液体供給装置は、取り付け部材４を有しているが、取り付け部材４は、必ずしも必要ではなく、ホルダ３と袋状容器２とから構成されていても構わない。
【図面の簡単な説明】
【００４１】
【図１】本考案の一実施形態に係る液体供給装置１の設置例を示す外観斜視図である。
【図２】ホルダ本体３１の蓋体３２を全開した状態を示す斜視図である。
【図３】袋状容器２の斜視図である。
【図４】液体供給装置１に袋状容器２を取り付ける作業の一過程を示す斜視図である。
【符号の説明】
【００４２】
１      液体供給装置
２      袋状容器
３      ホルダ
３１    ホルダ本体
３２    蓋体
３１４  口体保持部（保持部）
３２４  口体保持部（保持部）
４      取り付け部材（設置部）
【図１】
0003111617.tif 000003
【図２】
0003111617.tif 000004
【図３】
0003111617.tif 000005
【図４】
0003111617.tif 000006